【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
（ａ）本体と、
（ｂ）前記本体によって支持された送風機と、
（ｃ）前記送風機と気体流連通する第１の気体流導管において、長手軸、前記本体によって支持された近位部、および前記本体から離れた遠位部を有する第１の気体流導管と、
（ｄ）前記第１の気体流導管の前記遠位部と気体流連通し、前記長手軸に対して１００度を超える角度で前記第１の気体流導管の前記遠位部から前記本体の方へ空気を吹き出すように配向した第１のノズルと、
（ｅ）前記送風機と気体流連通する第２の気体流導管において、長手軸、前記本体によって支持された近位部、および前記本体から離れた遠位部を有する第２の気体流導管と、
（ｆ）前記第１の気体流導管の前記遠位部と気体流連通し、前記長手軸に対して１００度を超える角度で前記第１の気体流導管の前記遠位部から前記本体の方へ空気を吹き出すように配向した第２のノズルと、
（ｇ）前記第１の気体流導管と前記第２の気体流導管との間に位置する突出剛毛を備えたバーにおいて、前記第１のノズルおよび前記第２のノズルから前記バーの表面上に横断して空気が吹き出すように位置決めされ、毛髪を前記バーに被せてとかすと前記毛髪が滑らかになり、艶が出るバーと
を備えることを特徴とする毛髪処理装置。
【請求項２】
請求項１に記載の毛髪処理装置において、両方の導管の長手軸が互いに平行であることを特徴とする毛髪処理装置。
【請求項３】
請求項１に記載の毛髪処理装置において、両方のノズルの内径が、前記気体流導管の内径より小さいことを特徴とする毛髪処理装置。
【請求項４】
請求項１に記載の毛髪処理装置において、前記第１のノズルの内径が、前記気体流導管の内径より小さいことを特徴とする毛髪処理装置。
【請求項５】
請求項１に記載の毛髪処理装置において、前記本体が細長い長手軸を有し、前記本体から遠位に位置決めされた把持部を備えることを特徴とする毛髪処理装置。
【請求項６】
吹出口を通して空気を出力する毛髪器具と共に使用するためのコンセントレータにおいて、
ａ）本体において、
（ｉ）毛髪処理装置の前記吹出口に外嵌するように寸法付けされた、前記毛髪処理装置によって出力された空気を受け取るための吸込口、
（ｉｉ）前記吸込口と対向する排出端部、および
（ｉｉｉ）前記吸込口と前記排出端部との間の気体流路
を有する本体と、
ｂ）前記本体の前記排出端部と気体流連通する第１の気体流導管において、第１の長手軸、前記本体によって支持された近位部、および前記本体から離れた遠位部を有する第１の気体流導管と、
ｃ）前記第１の導管と気体流連通し、前記第１の長手軸に対して１００度を超える角度で前記第１の導管の前記遠位部から前記本体の方へ空気を吹き出すように配向した第１のノズルと、
ｄ）第２の長手軸と、前記第２の導管と気体流連通し、かつ前記第２の長手軸に対して１００度を超える角度で前記第２の導管の前記遠位部から前記本体の方へ空気を吹き出すように配向した第２のノズルとを有する第２の気体流導管と、
ｅ）前記第１の導管と気体流連通し、前記第１の導管の前記遠位部から空気を吹き出すように配向した第２のノズルと、
ｆ）前記第１の気体流導管と前記第２の気体流導管との間に位置する突出剛毛を備えたバーにおいて、前記第１のノズルおよび前記第２のノズルから前記バーの表面上に横断して空気が吹き出すように位置決めされ、毛髪を前記バーに被せてとかすと前記毛髪が滑らかになり、艶が出るバーと
を備えることを特徴とするコンセントレータ。
【請求項７】
請求項６に記載のコンセントレータにおいて、両方のノズルの内径が、前記気体流導管の内径より小さいことを特徴とするコンセントレータ。
【請求項８】
請求項６に記載のコンセントレータにおいて、前記第１のノズルの内径が、前記気体流導管の内径より小さいことを特徴とするコンセントレータ。
【請求項９】
請求項６に記載のコンセントレータにおいて、前記毛髪器具がヘアドライヤーであることを特徴とするコンセントレータ。
【請求項１０】
ａ）吹出口を通して加熱空気を出力するための毛髪器具と、
ｂ）請求項６に記載のコンセントレータにおいて、前記コンセントレータの前記吸込口が前記毛髪器具の前記吹出口に外嵌されているコンセントレータと
を備えることを特徴とする毛髪器具。
【請求項１１】
毛髪の一部を乾燥させる方法において、
ａ）前記毛髪処理装置を把持するステップにおいて、前記毛髪処理装置が
ｉ）本体、
ｉｉ）前記本体によって支持された送風機、
ｉｉｉ）前記送風機と気体流連通する第１の気体流導管において、長手軸、前記本体によって支持された近位部、および前記本体から離れた遠位部を有する第１の気体流導管、
ｉｖ）前記第１の気体流導管の前記遠位部と気体流連通し、前記長手軸に対して１００度を超える角度で前記第１の気体流導管の前記遠位部から前記本体の方へ空気を吹き出すように配向した第１のノズル、
ｖ）前記送風機と気体流連通する第２の気体流導管において、長手軸、前記本体によって支持された近位部、および前記本体から離れた遠位部を有する第２の気体流導管、
ｖｉ）前記第１の気体流導管の前記遠位部と気体流連通し、前記長手軸に対して１００度を超える角度で前記第２の気体流導管の前記遠位部から前記本体の方へ空気を吹き出すように配向した第２のノズル、および
ｖｉｉ）前記第１の気体流導管と前記第２の気体流導管との間に位置する突出剛毛を備えたバーにおいて、前記第１のノズルおよび前記第２のノズルから前記バーの表面上に横断して空気が吹き出すように位置決めされたバー
を備えるステップと、
ｂ）前記空気が前記第１のノズルおよび前記第２のノズルから吹き出す場所に前記毛髪の一部を配置するステップと、
ｃ）ステップ（ｂ）の前または後に、前記送風機を作動させて、前記毛髪の一部を乾燥させるステップと、
ｄ）前記空気が前記第１のノズルおよび前記第２のノズルから吹き出す間、前記毛髪を前記バーでとかすステップと
を含むことを特徴とする方法。
【請求項１２】
毛髪の一部を乾燥させる方法において、
ａ）吹出口を通して空気を出力する毛髪器具と共に使用するためのコンセントレータを配置するステップにおいて、前記コンセントレータの前記吸込口が前記毛髪器具の前記吹出口に外嵌され、前記コンセントレータが、
ｉ）（ｉ）毛髪処理装置の前記吹出口に外嵌するように寸法付けされた、前記毛髪処理装置によって出力された空気を受け取るための吸込口と、（ｉｉ）前記吸込口と対向する排出端部と、（ｉｉｉ）前記吸込口と前記排出端部との間の気体流路とを有する本体、
ｉｉ）前記本体の前記排出端部と気体流連通する第１の気体流導管において、第１の長手軸、前記本体によって支持された近位部、および前記本体から離れた遠位部を有する第１の導管、
ｉｉｉ）前記第１の導管と気体流連通し、前記長手軸に対して１００度を超える角度で前記第１の導管の前記遠位部から前記本体の方へ空気を吹き出すように配向した第１のノズル、
ｉｖ）第２の気体流導管において、第２の長手軸と、前記第２の導管と気体流連通し、かつ前記第２の長手軸に対して１００度を超える角度で前記第２の導管の前記遠位部から前記本体の方へ空気を吹き出すように配向した第２のノズルとを有する第２の気体流導管、
ｖ）前記第１の気体流導管の前記遠位部と気体流連通し、前記長手軸に対して１００度を超える角度で前記第２の気体流導管の前記遠位部から前記本体の方へ空気を吹き出すように配向した第２のノズル、および
ｖｉ）前記第１の気体流導管と前記第２の気体流導管との間に位置する突出剛毛を備えたバーにおいて、前記第１のノズルおよび前記第２のノズルから前記バーの表面上に横断して空気が吹き出すように位置決めされたバー
を備えるステップと、
ｂ）前記バーに隣接し、前記空気が前記ノズルから吹き出す場所に、前記毛髪の一部を配置するステップと、
ｃ）ステップ（ｂ）の前または後に、前記毛髪器具を作動させて、前記コンセントレータを通して加熱空気を吹き出すステップと、
ｄ）前記空気が前記第１のノズルおよび前記第２のノズルから吹き出す間、前記毛髪を前記バーでとかすステップと
を含むことを特徴とする方法。